【手続補正書】
【提出日】令和1年9月17日(2019.9.17)
【手続補正１】
【補正対象書類名】明細書
【補正対象項目名】００２６
【補正方法】変更
【補正の内容】
【００２６】
本発明のベール包装機は、ベール形成室の後側において複合機械のフレームの上面に組み立てられることができ、又は、選択的に、ベール形成室は、ベール包装機のフレームの上面に取り付けられることができる。こうして、複合機械は、二つの別体のフレームを有するのではなく、ベール形成室及びベール包装機は、同じフレーム上に支持される。ベール包装機のフレームは、ここでは、ベール包装機の領域へ延在する複合機械のフレームの一部を指す。ベール包装機は、フレームの第２の端部において、二つの形成された支持腕部５２を具備する包装装置５０を含有する。支持腕部は、それらの第１の端部からフレームへ取り付けられ、それらの第２の端部は、フレームの第２の端部の上側において相互接続部５４へ接続される。二つの包装腕部５６が、相互接続部へ回転可能に取り付けられ、これら包装腕部の自由端部は、実質的に、垂直下方向を向く。包装腕部は、保護フィルムロール５８が取り付けられる支持部を有する。包装腕部の円形経路の中央において、包装ステーション２２が存在し、包装台上に乗るベール１００が保護フィルムで巻かれるときに、包装台２４は包装ステーションに位置させられる。
【手続補正２】
【補正対象書類名】明細書
【補正対象項目名】００３３
【補正方法】変更
【補正の内容】
【００３３】
ベール形成室において形成された円筒形ベールは、ベール形成室４０の後壁４２が開かれるときに（ベールは図面に図示されていない）、ベール形成室から包装台へ直接的に転がる。移動シリンダの制動圧力は、それが、受取ステーションにおいて、包装台とベールとの全体重量ではなく、空の包装台の重量を適当に保持することができるような大きさである。このために、包装台は、ベールの受け取り直後に、重力によってベール形成室からある距離の図２ｂによる中間ステーションへ移動する。重力によって動く包装台は、移動シリンダを、第１の長さより大きな第２の長さに引っ張る。同時に、ロッカー部材は、第３の実質的な垂直位置へ回動する。
【手続補正３】
【補正対象書類名】明細書
【補正対象項目名】００３８
【補正方法】変更
【補正の内容】
【００３８】
ベール包装機のこの実施形態において、第２のロッカー部材の長さが調整されることができ、これは、包装台の後側縁部１６の高さに作用する。包装台の前側縁部１４の高さは、移動シリンダ３０による適当位置への第１のロッカー部材２６の回動によって後側縁部の高さと同じ高さへもたらされることができる。第２のロッカー部材は、図３ａにおいて伸長位置にあり、図３ｂにおいて短縮位置にある。図面から理解されることができるように、第２のロッカー部材を短くすることによって、包装台２４は、フレーム梁部材１７によって確定される高さまで持ち上げられることができる。こうして、包装台上のベールは、包装装置の保護フィルムロールの高さに関する所望高さへ正確に位置させられることができる。この特徴は、異なる大きさの円筒形ベールが準備されることができる調整可能な室を備える複合機械において、特に有利である。
【手続補正４】
【補正対象書類名】明細書
【補正対象項目名】００３９
【補正方法】変更
【補正の内容】
【００３９】
上述された実施形態において、第２のロッカー部材は、撓みに強いロッド部材又は長さ伸長可能なシリンダのいずれかであった。第１のロッカー部材が撓みに強いロッド部材であるときには、第２のロッカー部材は、必ずしも強固である必要はない。この場合において、第２のロッカー部材は、例えば、耐引張チェーン又はワイヤであることができる。図３ａ及び３ｂに図示された実施形態において、第１のロッカー部材は撓みに強いロッド部材であり、第２のロッカー部材は長さ調整可能なシリンダであった。第１のロッカー部材が、シリンダのような長さ調整可能な部品であることも可能である。この場合において、第２のロッカー部材は、標準的な又は長さ調整可能な部品のいずれかであることができる。
【手続補正５】
【補正対象書類名】特許請求の範囲
【補正対象項目名】全文
【補正方法】変更
【補正の内容】
【特許請求の範囲】
【請求項１】
フレーム（１０）と、ベール（１００）を受け取るための受取ステーション（１２）と、受け取られた前記ベール（１００）回りに保護フィルムを巻き付けるための包装装置（５０）と、を有するベール包装機であって、前記包装装置は、包装ステーション（２２）と、包装台（２４）と、前記受取ステーション（１２）と前記包装ステーション（２２）との間において前記包装台を動かすための作動装置と、を具備するベール包装機において、
前記包装台（２４）は、少なくとも一つの第１のロッカー部材（２６）と少なくとも一つの第２のロッカー部材（２８）とによって関節式に前記フレーム（１０）に吊り下げられ、それにより、前記第１及び第２のロッカー部材（２６，２８）は、前記包装台（２４）が前記受取ステーション（１２）にある第１の位置へ、及び、前記包装台（２４）が前記包装ステーション（２２）にある第２の位置へもたらされることができることを特徴とするベール包装機。
【請求項２】
前記第１及び第２のロッカー部材（２６，２８）は、前記包装台（２４）が前記受取ステーション（１２）と前記包装ステーション（２２）との間の中間ステーション（１８）にあるような第３の位置へもたらされることができることを特徴とする請求項１に記載のベール包装機。
【請求項３】
前記中間ステーション（１８）において、前記ベール包装機が使用時の通常位置にあるときに、前記包装台（２４）は、前記受取ステーション（１２）及び前記包装ステーション（２２）におけるより低い高さに位置させられることを特徴とする請求項２に記載のベール包装機。
【請求項４】
前記包装台（２４）は、前記ベール包装機が使用時の通常位置にあるときに、前記包装台（２４）及び前記包装台上に配置された前記ベール（１００）の重力の影響によって、前記受取ステーション（１２）から前記中間ステーション（１８）へ移動するように配置されていることを特徴とする請求項２又は３に記載のベール包装機。
【請求項５】
前記包装台（２４）は、前側縁部（１４）と後側縁部（１６）とを有し、前記包装ステーション（２２）における包装台（２４）は、排出位置へもたらされることができ、前記排出位置において、前記ベール包装機が使用時の通常位置にあるときに、前記包装台の前記前側縁部（１４）は、実質的に、前記後側縁部（１６）より高い高さに位置させられることを特徴とする請求項１〜４の何れか一項に記載のベール包装機。
【請求項６】
前記包装台（２４）は中心線（ＰＰ）を有し、前記包装台（２４）は、前記中心線（ＰＰ）と前記前側縁部（１４）との間の部分に対して二つの前記第１のロッカー部材（２６）によって、前記中心線と前記後側縁部（１６）との間の部分に対して二つの前記第２のロッカー部材（２８）によって、前記フレーム（１０）へ吊り下げられることを特徴とする請求項５に記載のベール包装機。
【請求項７】
前記第１のロッカー部材（２６）は、撓みに強いロッド部材であることを特徴とする請求項１〜６の何れか一項に記載のベール包装機。
【請求項８】
前記作動装置は、前記第１のロッカー部材（２６）及び前記フレーム（１０）の固定位置回りに前記第１のロッカー部材（２６）を回動するように取り付けられることを特徴とする請求項１〜７の何れか一項に記載のベール包装機。
【請求項９】
前記第２のロッカー部材（２８）の長さは調整可能であることを特徴とする請求項１〜８の何れか一項に記載のベール包装機。
【請求項１０】
前記第２のロッカー部材（２８）は、長さ調整可能なシリンダ、好ましくは、流体圧シリンダであることを特徴とする請求項９に記載のベール包装機。
【請求項１１】
前記作動装置は、前記フレーム（１０）へ取り付けられた第１の端部と、直接的に又はレバー機構を介して前記第１のロッカー部材（２６）へ取り付けられた第２の端部と、を有する長さ調整可能な移動シリンダ（３０）であることを特徴とする請求項１〜１０の何れか一項に記載のベール包装機。
【請求項１２】
前記レバー機構は、関節式に前記フレーム（１０）へ取り付けられる第１の端部と、関節式に前記移動シリンダ（３０）の前記第２の端部へ取り付けられる第２の端部と、を有する制御レバー（３２）を具備することを特徴とする請求項１１に記載のベール包装機。
【請求項１３】
前記レバー機構はクラブバー（３４）を具備し、前記クラブバー（３４）は、前記第１のロッカー部材（２６）に取り付けられる第１の端部と、前記移動シリンダ（３０）の前記第２の端部へ関節式に取り付けられる第２の端部と、を有することを特徴とする請求項１１又は１２に記載のベール包装機。
【請求項１４】
前記包装台（２４）は、前記移動シリンダ（３０）を第１の長さとすることによって前記受取ステーション（１２）へ、前記移動シリンダ（３０）を第２の長さとすることによって前記中間ステーション（１８）へ、前記移動シリンダ（３０）を第３の長さとすることによって前記包装ステーション（２２）へ、及び、前記移動シリンダ（３０）を第４の長さとすることによって前記包装ステーション（２２）における排出位置へ動かされることができることを特徴とする請求項１１〜１３の何れか一項に記載のベール包装機。
【請求項１５】
前記移動シリンダ（３０）の前記第４の長さは前記第３の長さより大きく、前記第３の長さは前記第２の長さより大きく、及び、前記第２の長さは前記第１の長さより大きいことを特徴とする請求項１４に記載のベール包装機。
【請求項１６】
前記移動シリンダ（３０）は流体圧シリンダであることを特徴とする請求項１１〜１５の何れか一項に記載のベール包装機。
【手続補正６】
【補正対象書類名】図面
【補正対象項目名】図３ａ
【補正方法】変更
【補正の内容】
【図３ａ】
2017057013.tif 000001
【手続補正７】
【補正対象書類名】図面
【補正対象項目名】図３ｂ
【補正方法】変更
【補正の内容】
【図３ｂ】
2017057013.tif 000002